【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
遊技機に対応して設けられ、遊技に使用可能な有価価値の大きさを特定可能な情報が記録された遊技用記録媒体の記録情報から特定される有価価値の大きさを使用して前記遊技機から遊技媒体を貸与する貸与処理を行う貸与処理手段を備える遊技用装置と、
該遊技用装置と通信可能であり、遊技場に納入された各遊技機に搭載されて当該遊技機の遊技に関する制御を実行する遊技用演算処理装置を個々に識別可能な識別情報を記憶する識別情報記憶手段を備える管理装置と、
からなる遊技用システムであって、
前記遊技用装置は、
前記対応する遊技機に搭載された前記遊技用演算処理装置に記憶されている前記識別情報を該対応する遊技機から取得する識別情報取得手段と、
該識別情報取得手段により取得した識別情報を前記管理装置に対して送信する識別情報送信手段と、を備え、
前記管理装置は、
該識別情報送信手段から送信されてきた識別情報が前記識別情報記憶手段で記憶されている識別情報と一致するか否かを照合する照合手段と、
該照合手段による照合結果を前記識別情報の送信元である遊技用装置に対して送信する照合結果送信手段と、を備え、
前記貸与処理手段は、該照合結果送信手段から一致しない旨の照合結果を受信したことを条件として、前記貸与処理を不能動化すると共に、
前記管理装置は、
遊技場内に設置された各遊技機が前記識別情報を送信する機能を有するか否かを記憶する送信可否記憶手段と、
該送信可否記憶手段の記憶内容に基づいて、前記識別情報を送信する機能を有さない遊技機に対応する遊技用装置に対して、該対応する遊技機が前記識別情報を送信する機能を有さない旨を示す識別情報送信不能情報を送信する識別情報送信不能情報送信手段と、をさらに備え、
前記遊技用装置は、該識別情報送信不能情報送信手段から識別情報送信不能情報を受信したことを条件として、前記識別情報取得手段による処理及び前記識別情報送信手段による処理を行うことなく、前記貸与処理手段による前記貸与処理を能動化することを特徴とする遊技用システム。
【請求項２】
遊技機に対応して設けられ、遊技に使用可能な有価価値の大きさを特定可能な情報が記録された遊技用記録媒体の記録情報から特定される有価価値の大きさを使用して前記遊技機から遊技媒体を貸与する貸与処理を行う貸与処理手段を備える遊技用装置と、
該遊技用装置と通信可能であり、遊技場に納入された各遊技機に搭載されて当該遊技機の遊技に関する制御を実行する遊技用演算処理装置を個々に識別可能な識別情報を記憶する識別情報記憶手段を備える管理装置と、
からなる遊技用システムであって、
前記遊技用装置は、
前記対応する遊技機に搭載された前記遊技用演算処理装置に記憶されている前記識別情報を該対応する遊技機から取得する識別情報取得手段と、
該識別情報取得手段により取得した識別情報を前記管理装置に対して送信する識別情報送信手段と、を備え、
前記管理装置は、
該識別情報送信手段から送信されてきた識別情報が前記識別情報記憶手段で記憶されている識別情報と一致するか否かを照合する照合手段と、
該照合手段による照合結果を前記識別情報の送信元である遊技用装置に対して送信する照合結果送信手段と、を備え、
前記遊技用装置は、前記照合結果送信手段から一致する旨の照合結果を受信したことを条件として、前記対応する遊技機の動作を能動化するための能動化信号を該対応する遊技機に対して送信するか、又は前記照合結果送信手段から一致しない旨の照合結果を受信したことを条件として、前記対応する遊技機の動作を不能動化するための不能動化信号を該対応する遊技機に対して送信する処理を行う遊技動作信号送信手段をさらに備えると共に、
前記管理装置は、
遊技場内に設置された各遊技機が前記識別情報を送信する機能を有するか否かを記憶する送信可否記憶手段と、
該送信可否記憶手段の記憶内容に基づいて、前記識別情報を送信する機能を有さない遊技機に対応する遊技用装置に対して、該対応する遊技機が前記識別情報を送信する機能を有さない旨を示す識別情報送信不能情報を送信する識別情報送信不能情報送信手段と、をさらに備え、
前記遊技用装置は、該識別情報送信不能情報送信手段から識別情報送信不能情報を受信したことを条件として、前記識別情報取得手段による処理及び前記識別情報送信手段による処理を行うことなく、前記遊技動作信号送信手段により、前記能動化信号を送信するか、又は前記不能動化信号を送信しないことを特徴とする遊技用システム。
【手続補正２】
【補正対象書類名】明細書
【補正対象項目名】０００２
【補正方法】変更
【補正の内容】
【０００２】
従来より、特許文献１に示すように、遊技機に搭載された主制御基板に記憶されているＩＤ番号を台間機に対して送信し、該送信されてきたＩＤ番号がセンタ管理装置により保持されている正規のＩＤ番号と一致するか否かを台間機，ホール管理装置，又はセンタ管理装置において照合することにより、遊技機に正規の主制御基板が搭載されているかどうか（換言すれば主制御基板が不正基板に交換されていないかどうか）を監視する監視システムが知られている。
【手続補正３】
【補正対象書類名】明細書
【補正対象項目名】０００４
【補正方法】変更
【補正の内容】
【０００４】
しかしながら、前記ＩＤ番号が一致することを条件に台間機での貸与処理を能動化するように構成すると、該ＩＤ番号を送信する機能を有する新遊技機と該ＩＤ番号を送信する機能を有さない従来の遊技機とが混在する場合において、新遊技機に対応する台間機では、該新遊技機から送信されてきたＩＤ番号が一致することに基づいて、貸与処理を能動化することができるが、従来の遊技機に対応する台間機では、該従来の遊技機からＩＤ番号が送信されてこないため、貸与処理を能動化することができず、該従来の遊技機での遊技を担保できないという問題がある。
【手続補正４】
【補正対象書類名】明細書
【補正対象項目名】０００５
【補正方法】変更
【補正の内容】
【０００５】
本発明は、このような背景のもとになされたものであり、その目的は、遊技用演算処理装置（前記主制御基板に相当）に記憶されている識別情報（前記ＩＤ番号に相当）を照合し、該識別情報が一致することを条件に遊技用装置での貸与処理を能動化する場合において、該識別情報を送信する機能を有さない遊技機での遊技も担保できるような遊技用システムを提供することにある。
【手続補正５】
【補正対象書類名】明細書
【補正対象項目名】０００７
【補正方法】変更
【補正の内容】
【０００７】
まず請求項１に係る発明は、遊技機（パチンコ機１００）に対応して設けられ、遊技に使用可能な有価価値の大きさ（入金残額，カード残額）を特定可能な情報が記録された遊技用記録媒体（封入カード７，会員カード８）の記録情報から特定される有価価値の大きさを使用して前記遊技機から遊技媒体（パチンコ玉）を貸与する貸与処理（玉貸処理）を行う貸与処理手段（ユニット制御部２２０）を備える遊技用装置（カードユニット２００）と、該遊技用装置と通信可能であり、遊技場（２）に納入された各遊技機に搭載されて当該遊技機の遊技に関する制御を実行する遊技用演算処理装置（主基板１５０）を個々に識別可能な識別情報（チップＩＤ）を記憶する識別情報記憶手段（ハードディスク２５）を備える管理装置（センタサーバ２０）と、からなる遊技用システム（１）であって、前記遊技用装置は、前記対応する遊技機に搭載された前記遊技用演算処理装置に記憶されている前記識別情報を該対応する遊技機から取得する識別情報取得手段（ユニット制御部２２０）と、該識別情報取得手段により取得した識別情報を前記管理装置に対して送信する識別情報送信手段（カードＲ／Ｗ制御部２３０）と、を備え、前記管理装置は、該識別情報送信手段から送信されてきた識別情報が前記識別情報記憶手段で記憶されている識別情報と一致するか否かを照合する照合手段（制御部２２）と、該照合手段による照合結果を前記識別情報の送信元である遊技用装置に対して送信する照合結果送信手段（通信部２１）と、を備え、前記貸与処理手段は、該照合結果送信手段から一致しない旨の照合結果を受信したことを条件として、前記貸与処理を不能動化すると共に、前記管理装置は、遊技場内に設置された各遊技機が前記識別情報を送信する機能を有するか否かを記憶する送信可否記憶手段（ハードディスク２５）と、該送信可否記憶手段の記憶内容に基づいて、前記識別情報を送信する機能を有さない遊技機に対応する遊技用装置に対して、該対応する遊技機が前記識別情報を送信する機能を有さない旨を示す識別情報送信不能情報を送信する識別情報送信不能情報送信手段（通信部２１）と、をさらに備え、前記遊技用装置は、該識別情報送信不能情報送信手段から識別情報送信不能情報を受信したことを条件として、前記識別情報取得手段による処理及び前記識別情報送信手段による処理を行うことなく、前記貸与処理手段による前記貸与処理を能動化することを特徴とする遊技用システムである。
【手続補正６】
【補正対象書類名】明細書
【補正対象項目名】０００８
【補正方法】変更
【補正の内容】
【０００８】
また請求項２に係る発明は、遊技機（パチンコ機１００）に対応して設けられ、遊技に使用可能な有価価値の大きさ（入金残額，カード残額）を特定可能な情報が記録された遊技用記録媒体（封入カード７，会員カード８）の記録情報から特定される有価価値の大きさを使用して前記遊技機から遊技媒体（パチンコ玉）を貸与する貸与処理（玉貸処理）を行う貸与処理手段（ユニット制御部２２０）を備える遊技用装置（カードユニット２００）と、該遊技用装置と通信可能であり、遊技場（２）に納入された各遊技機に搭載されて当該遊技機の遊技に関する制御を実行する遊技用演算処理装置（主基板１５０）を個々に識別可能な識別情報（チップＩＤ）を記憶する識別情報記憶手段（ハードディスク２５）を備える管理装置（センタサーバ２０）と、からなる遊技用システム（１）であって、前記遊技用装置は、前記対応する遊技機に搭載された前記遊技用演算処理装置に記憶されている前記識別情報を該対応する遊技機から取得する識別情報取得手段（ユニット制御部２２０）と、該識別情報取得手段により取得した識別情報を前記管理装置に対して送信する識別情報送信手段（カードＲ／Ｗ制御部２３０）と、を備え、前記管理装置は、該識別情報送信手段から送信されてきた識別情報が前記識別情報記憶手段で記憶されている識別情報と一致するか否かを照合する照合手段（制御部２２）と、該照合手段による照合結果を前記識別情報の送信元である遊技用装置に対して送信する照合結果送信手段（通信部２１）と、を備え、前記遊技用装置は、前記照合結果送信手段から一致する旨の照合結果を受信したことを条件として、前記対応する遊技機の動作を能動化するための能動化信号を該対応する遊技機に対して送信するか、又は前記照合結果送信手段から一致しない旨の照合結果を受信したことを条件として、前記対応する遊技機の動作を不能動化するための不能動化信号を該対応する遊技機に対して送信する処理を行う遊技動作信号送信手段（ユニット制御部２２０）をさらに備えると共に、前記管理装置は、遊技場内に設置された各遊技機が前記識別情報を送信する機能を有するか否かを記憶する送信可否記憶手段（ハードディスク２５）と、該送信可否記憶手段の記憶内容に基づいて、前記識別情報を送信する機能を有さない遊技機に対応する遊技用装置に対して、該対応する遊技機が前記識別情報を送信する機能を有さない旨を示す識別情報送信不能情報を送信する識別情報送信不能情報送信手段（通信部２１）と、をさらに備え、前記遊技用装置は、該識別情報送信不能情報送信手段から識別情報送信不能情報を受信したことを条件として、前記識別情報取得手段による処理及び前記識別情報送信手段による処理を行うことなく、前記遊技動作信号送信手段により、前記能動化信号を送信するか、又は前記不能動化信号を送信しないことを特徴とする遊技用システムである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
まず請求項１に係る遊技用システムによれば、識別情報を送信する機能を有する遊技機については、該識別情報の照合を行うことにより、不正の遊技用演算処理装置に交換された遊技機に対応する遊技用装置において貸与処理が不能動化されるので、該遊技機での遊技を防止できる。一方、識別情報を送信する機能を有さない従来の遊技機に対応する遊技用装置において貸与処理が能動化されるので、該遊技機での遊技をも確実に担保できる。
【手続補正２０】
【補正対象書類名】明細書
【補正対象項目名】００２２
【補正方法】変更
【補正の内容】
【００２２】
また請求項２に係る遊技用システムによれば、識別情報を送信する機能を有する遊技機については、該識別情報の照合を行うことにより、不正の遊技用演算処理装置に交換された遊技機において該遊技機の動作が不能動化されるので、該遊技機での遊技を防止できる。一方、識別情報を送信する機能を有さない従来の遊技機に対応する遊技用装置において貸与処理が能動化されるので、該遊技機での遊技をも確実に担保できる。